(57)【要約】 【課題】  個人衛生用物質等の物質を塗布に適した温度に加熱する。【解決手段】    本発明は、  一回分のトリートメント材料を収容した容器と、  温度を関数として状態が変化するように構成されたインジケータとを備える。【選択図】  図６
2004196425.tif 000002
【特許請求の範囲】
【請求項１】
一回分のトリートメント物質を収容した容器と、
温度を関数として状態を変更するように構成されたインジケータと、
を備えることを特徴とする装置。
【請求項２】
前記インジケータが、一回目に温度が第１の値に達した際に、二回目に温度が第１の値よりも高い第２の値に達した際に、状態を変更するように構成されていることを特徴とする請求項１に記載の装置。
【請求項３】
前記インジケータが、温度によって変化する外観を有することを特徴とする請求項１に記載の装置。
【請求項４】
前記インジケータが、温度によって変化することを特徴とする請求項３に記載の装置。
【請求項５】
前記インジケータが、温度によって両面が変化する外観を有することを特徴とする請求項３に記載の装置。
【請求項６】
前記インジケータが、サーモクロミック色素を有することを特徴とする請求項３に記載の装置。
【請求項７】
前記インジケータは、温度が所定の値を超えると、揮発性および芳香性物質を放出するように構成されていることを特徴とする請求項１に記載の装置。
【請求項８】
前記インジケータが、前記容器上に固定された少なくとも一つの可撓性の支持部を備えていることを特徴とする請求項１に記載の装置。
【請求項９】
前記容器が小袋を備えていることを特徴とする請求項１に記載の装置。
【請求項１０】
前記インジケータが、温度が３０℃〜４０℃の範囲内の値に達すると状態を変更することを特徴とする請求項１に記載の装置。
【請求項１１】
前記容器が、該容器を放熱器上に固定させることが可能な固定部材を備えていることを特徴とする請求項１に記載の装置。
【請求項１２】
前記容器が、該容器に水中でゼロまたは負の浮力を与えるバラストを備えていることを特徴とする請求項１に記載の装置。
【請求項１３】
前記物質が、化粧品およびケア用物質のうち少なくとも一つを有することを特徴とする請求項１に記載の装置。
【請求項１４】
前記物質がシャンプー、シャワージェル、人工日焼け用物質、フィルム形成組成物質、マスク形成組成物質、マッサージオイルの中から選択されることを特徴とする請求項１３に記載の装置。
【請求項１５】
前記可撓性支持部が、接着剤にて該容器に固定されていることを特徴とする請求項８に記載の装置。
【請求項１６】
容器とインジケータを備え、前記容器が、
トリートメント物質を収容し、第１容量を有する貯液空間と、
該第１容量よりも小さい第２容量を有するディスペンサ部材とを備え、前記ディスペンサ部材が該貯液空間と連通することが可能であり、
インジケータが、温度を関数として状態を変更するように構成されていること、
を特徴とするパッケージング装置。
【請求項１７】
前記ディスペンサ部材が、一回分の物質を収容するように構成されていることを特徴とする請求項１６に記載の装置。
【請求項１８】
前記インジケータが、一回目に温度が第１の値に達した際に、二回目に温度が第１の値よりも高い第２の値に達した際に状態を変更するように構成されていることを特徴とする請求項１６に記載の装置。
【請求項１９】
前記インジケータが、温度によって変化する外観を有することを特徴とする請求項１６に記載の装置。
【請求項２０】
前記インジケータが、温度によって色を変更することを特徴とする請求項１９に記載の装置。
【請求項２１】
前記インジケータが、温度によって両面が変化する外観を有することを特徴とする請求項１９に記載の装置。
【請求項２２】
前記インジケータが、サーモクロミック色素を有することを特徴とする請求項１９に記載の装置。
【請求項２３】
前記インジケータが、温度が所定の値を超えると、揮発性および芳香性物質を放出するように構成されていることを特徴とする請求項１６に記載の装置。
【請求項２４】
前記インジケータが、該容器に固定される少なくとも一つの可撓性支持部を備えていることを特徴とする請求項１６に記載の装置。
【請求項２５】
前記可撓性支持部が、接着剤にて該容器に固定されていることを特徴とする請求項２４に記載の装置。
【請求項２６】
前記ディスペンサ部材が、取り外し可能な方法で該容器の残部に接続していることを特徴とする請求項１６に記載の装置。
【請求項２７】
前記ディスペンサ部材が、貯液空間を密封方法で閉鎖できるように構成されていることを特徴とする請求項２６に記載の装置。
【請求項２８】
前記ディスペンサ部材が、取り外し不可能な方法で、該容器の残部に接続していることを特徴とする請求項１６に記載の装置。
【請求項２９】
前記ディスペンサ部材が、可撓性管を介して貯液空間に接続していることを特徴とする請求項１６に記載の装置。
【請求項３０】
前記インジケータが、温度が３０℃〜４０℃の範囲内の値に達すると状態を変更することを特徴とする請求項１６に記載の装置。
【請求項３１】
前記容器が、該容器の放熱器への固定を可能にする固定部材を備えていることを特徴とする請求項１６に記載の装置。
【請求項３２】
前記容器が、該容器に水中でゼロまたは負の浮力を与えるバラストを備えていることを特徴とする請求項１６に記載の装置。
【請求項３３】
前記物質が、化粧品およびケア用物質の内の少なくとも一つであることを特徴とする請求項１６に記載の装置。
【請求項３４】
前記物質がシャンプー、シャワージェル、人工日焼け用物質、フィルム形成組成物質、マスク形成組成物質、マッサージオイルの中から選択されることを特徴とする請求項３３に記載の装置。
【請求項３５】
トリートメント物質を収容する容器を備え、前記容器が、該容器の放熱器への固定を可能にする固定部材を具備し、また、
温度を関数として状態を変更するように構成されたインジケータと、
を備えることを特徴とするパッケージング装置。
【請求項３６】
トリートメント物質を収容する容器を備え、前記容器が、該容器に水中でゼロまたは負の浮力を与えるバラストを具備し、
温度の関数として状態を変更するように構成されたインジケータと、
を備えることを特徴とするパッケージング装置。
【請求項３７】
トリートメント物質を収容する容器と、
温度によって状態を変更するように構成されたインジケータと、
を備えていることを特徴とするパッケージング装置。
【請求項３８】
請求項１で定義したようにパッケージング装置内に収容されたトリートメント物質を方法において、
前記パッケージング装置を、該物質の温度を少なくとも該インジケータが状態を変更するまで上昇させる熱源と、該物質の温度を該インジケータが状態を変更するまで低下させる冷源の、少なくとも一つに晒すこと、
前記物質を塗布すること、
を含むことを特徴とする方法。
【請求項３９】
前記熱源が、湯、高温の表面、放熱器の少なくとも一つを備えていることを特徴とする請求項３８に記載の方法。
【請求項４０】
請求項１６に定義のとおり貯液空間とディスペンサ部材を具備した装置内に収容されたトリートメント物質を塗布する方法において、
前記ディスペンサ部材を一回分の物質で再充填すること、
少なくともディスペンサ部材を、前記ディスペンサ部材内に収容された該物質の温度を、少なくとも該温度インジケータが状態を変更するまで、上昇を可能にする熱源、および、前記ディスペンサ部材内に収容された該物質の温度を、少なくとも該温度インジケータが状態を変更するまで、下げることができる冷源の少なくとも一つに晒すこと、
前記ディスペンサ部材内に収容された該物質を塗布すること、
を含むことを特徴とする方法。
【発明の詳細な説明】
【技術分野】
【０００１】
本発明は、トリートメント物質のためのパッケージング装置を提供する。
【背景技術】
【０００２】
多くの場合、浴室は、使用の前に集中的に短時間で暖められるため、シャンプーやシャワージェルのような個人衛生用物質が、周囲の温度よりも遥かに低い温度、また、浴槽内の湯およびシャワーの湯よりも遥かに低い温度であり、これを人体に付けた時に冷たい不快感を感じる可能性がある。
【０００３】
この不快感により、例えば幼い幼児がシャンプーを嫌がったり、シャンプーを困難にすることとなってしまう。
【発明の開示】
【発明が解決しようとする課題】
【０００４】
そこで、特に子供がシャンプーまたはシャワージェルのような個人衛生物質を嫌がらない工夫が必要である。
【０００５】
より一般的には、化粧品、特に、入浴時またはシャワー時に使用することを目的とした物質をより快適に使用できるようにする必要がある。
【０００６】
さらに、特に人工日焼け用物質の場合には、例えば化学薬品の浸透を拡大することにより、またはその効果を促進することにより、物質の働きを迅速に促進できるようにする必要がある。
【０００７】
フランス国特許明細書FR 2 376 401号は、シャンプーを人の体温よりも若干高い温度に加熱して、シャンプーの効率を上げることが可能なヒーターレジスター(heater resistor)を備えた器具を開示している。この明細書は、比較的複雑な構造を提示しており、さらに、美容院で使用するように設計されている。
【０００８】
本発明は、上で確認した安全性の全てまたは幾分かを達成する。
【課題を解決するための手段】
【０００９】
本発明は、とりわけ第一の形態において、
トリートメント物質を収容する容器と、
温度の関数として状態の変化が可能なインジケータとを備えたパッケージング装置を提供する。
【００１０】
インジケータの状態が変化すると、使用者は容器内の物質が塗布に適した温度であることを知ることができる。
【００１１】
インジケータは、１回目に第１の値の温度に達した際に、２回目に例えば第１の値よりも高い第２の値の温度に達した際に状態を変化するように設けられている。そのため、第２の値は、物質を快適または安全な状態で塗布するための最高温度に関連しており、使用者は物質が塗布するのに高温過ぎることを知ることができる。
【００１２】
さらにインジケータは、物質の温度が、これよりも高温になると火傷の危険がある、事前定義した値を超えた場合のみ、状態を変化するよう設けることができる。
【００１３】
本発明の或る例証的な実施形態では、インジケータは、温度によって外観、例えば色が変化する。インジケータは、温度が、例えば３０℃〜４０℃の範囲内の値に達した場合に状態を変化することができる。
【００１４】
成人にとっては、例えば色の変化により、物質が適温であることを表示することができる。
【００１５】
子供にとっては、インジケータの色の変化を見ることは一種のゲームのようであるため、子供は、浴槽に浸かった後にも遊びを継続したい場合、例えば、一般に浴槽に浸かった後に行うシャンプーの時間が来たことを容易に納得できるようになる。
【００１６】
容器は、加熱し過ぎた場合に物質の放出を防止する安全部材を備えている。このような安全部材は、或る温度を越えた物質の通路を閉鎖するべく、温度によって形状を変化させることができる、例えば膨張するシャッター、あるいは、形状を変化でき、ディスペンサ部材の作動を防止できるボルトを装備している。例証の方法により、安全部材は、温度が高過ぎる場合に、容器を備えたポンプの作動を防止するように設計されている。要素を回転させることで、閉鎖状態から開放状態へと移動できるディスペンサヘッドが、容器に装備されている場合には、該要素が高過ぎる温度にまで上昇した際に、回転できないように安全部材を設計することができる。
【００１７】
インジケータは、温度によって色の変化が可能な複数の範囲を備えることができ、この場合、色変化の閾値は範囲によって異なる。例証の方法により、使用者は、これによって、加熱中の容器の大体の温度を知ったり、または物質が、塗布するのに高温過ぎる、あるいは低温過ぎることの警告を受けることが可能である。
【００１８】
インジケータは、温度に関連して変化する外観を呈することができる、つまり、インジケータは、装置が周囲の温度に戻ると、初期の外観へと戻ることができる。
【００１９】
インジケータは、様々な方法で装置に配置することができる。
【００２０】
例証の方法により、インジケータは、例えば接着剤で容器に固定した少なくとも１つの可撓性媒体を備えることができる。例証の方法により、インジケータは、容器に貼着した接着パッチまたはラベルの形態で提示することができる。
【００２１】
さらに、例えばサーモクロミック色素を含有したインクを用いて、インジケータを容器上に印刷することも可能である。
【００２２】
インジケータは、容器の少なくとも一部分の材料にサーモクロミック色素を混合して形成することも可能である。
【００２３】
インジケータは、温度によって外観が変化するあらゆる材料、例えば、任意でカプセルに入れたコレステリック液晶を含むことができる。温度に従って色が変化するインジケータの例が欧州特許明細書EP 1 191 317号、米国特許US 5 789 578号に記載されており、本願明細書中ではその開示を参照により援用している。
【００２４】
インジケータの状態の変化は視覚以外でも検知することができる。
【００２５】
例証の方法により、インジケータは、温度が特定の閾値を超えると、揮発性および芳香性物質を放出することができる。例えば、芳香性物質は香水であってよい。
【００２６】
本発明の或る例証的実施形態では、容器は一回分の物質を収容するように設計されている。これにより、使用者が一回分を超す多量の物質を塗布してしまうことを防ぐことができ、物質がシャンプーの場合には、物質が眼と接触してしまうことを防止し、すすぎに要する湯の量を減少する。
【００２７】
さらに、子供が持ち易いように容器をより小型化することが可能である。
【００２８】
一回分の物質の加熱および冷却に要する時間もより短くすることができる。
【００２９】
一回分の物質は、実質的に一度で完全に使いきれる、または比較的短時間で使いきれる量の物質であってよい。  
【００３０】
トリートメント物質がシャンプーである場合には、一回分の量は、通常、洗髪時に頭髪につけるシャンプーの量であってよい。
【００３１】
トリートメント物質がシャワージェルである場合には、一回分の量は、シャワー時に完全に使いきるシャワージェルの量であってよく、この量を一回のシャワー時に数回に分けて放出することができる。
【００３２】
トリートメント物質が、人工日焼け用物質またはマッサージオイルである場合には、一回の日焼けまたはマッサージ施術で完全に使いきれる量の物質であってよい。
【００３３】
一回分のフィルム形成組成物質またはマスク形成組成物質は、顔のような身体部分を処置する一回の施術で完全に使いきれる量の物質であってよい。
【００３４】
例証的な実施形態において、容器は複数回の分配が可能な量の物質を収容している。
【００３５】
容器は貯液空間と、この貯液空間との連通に適し、一定量の物質の受容に適したディスペンサ部材とを備えることができる。
【００３６】
ディスペンサ部材は、任意で取り外し可能な方法で容器の残部と接続させることができる。
【００３７】
例証の方法により、ディスペンサ部材は、可撓性管の方法で容器の残部と接続させることができる。
【００３８】
温度に従って状態を変化できるインジケータを、ディスペンサ部材に固定することが可能である。
【００３９】
ディスペンサ部材は、貯液空間を密封方法で閉鎖できるように任意で設計することができる。
【００４０】
容器全体、またはディスペンサ部材のみを、特に熱伝導によって、比較的迅速に外部との熱交換できるように設計することが可能であるが、これは、例えば熱伝導性に優れた材料を使用することで、または、容器あるいはディスペンサ部材の少なくとも１つの壁を比較的薄く設けることで実施できる。
【００４１】
例証の方法により、容器は、互いに組み立てた２枚のシートを備える小袋を装備することができる。例証の方法により、これらのシートは、少なくとも一層が特にアルミニウムから成る金属層である多層構造であってよい。
【００４２】
使用前に物質を様々な方法で、加熱することができる。
【００４３】
例証の方法により、容器は、放熱器への固定を可能にする固定部材を具備してよい。
さらに、浴槽内の湯または湯銭鍋内に浸して加熱するよう、に容器を設計することができる。
【００４４】
そのため、水中で実質的にゼロ、または負の浮力を与えるバラストを容器に有利に装備することができる。したがって、水中に浸されている間、容器の全面が水と接触しているため熱交換が促進される。
【００４５】
例えば容器を誤って45℃よりも高い温度で長時間加熱してしまった場合に、収容された物質または空気が膨張した結果、容器内に過剰な圧力が増加してしまうことを防止する少なくとも１つの安全弁が容器に装備されている。
【００４６】
容器を部分的にのみ充填することが可能であるため、物質のいかなる膨張によっても該容器が破裂することがない。
【００４７】
或る変形例では、容器の少なくとも一部分を弾性材料で製造したり、または空気のみを通過させて物質を残す多孔性材料で製造したり、あるいは、空気のみを通過させて物質を通過させない微孔を容器に設けることができる。
【００４８】
赤外線の吸収を向上させるために、任意で容器に黒色の壁を設けることができる。
【００４９】
個人衛生物質の場合には、物質を加熱することで洗浄がより効率的になり、また使用量を減少することが可能である。
【００５０】
物質を所与の温度に迅速に加熱できる本発明の容器により、物質の配合（formulation）を事前定義した使用温度に適合させることが可能で、これによって、例えば最適な流動性、効率性、快適性が得られる。
【００５１】
特にケア用物質の場合、また特にクリームの場合には、物質を加熱することで、活性剤の皮膚または頭皮内への浸透性が向上され、例えばより優れた発色を得るために温熱効果および血管関連の効果を発揮でき、および/または皮脂の分解、あるいは臭いの放散を促進することが可能である。
【００５２】
物質の加熱により、さらに、人工日焼け用物質のような物質の効果を促進することができる。
【００５３】
物質は、周囲温度と同温度の液体、または変形例として、周囲温度では固体であり加熱すると液体化する物質であってもよい。
【００５４】
物質を加熱するのではなく、冷水または特に冷蔵庫内で冷却して、例えば夏の爽快さを出すことができる。この場合、温度インジケータを、使用者が例えば冷た過ぎることはないが、十分に冷えた物質を使用できるように、物質の温度を使用者に知らせるように設計することができる。例証の方法により、温度インジケータは、物質が十分に冷たいことを使用者に知らせるために、例えばその外観の状態を変化することができ、および/または、所与の温度よりも低い温度で固体化することができる。さらにインジケータは、状態、例えば外観を二回変化して、物質が快適に使用するには冷たすぎることを使用者に知らせることもできる。例証の方法により、温度インジケータは、上述した方法と類似の方法で、物質が冷えすぎていることを示す第１色範囲と、物質が熱すぎることを示す第２色範囲、そして恐らくは、物質の温度が希望の使用温度に関連していることを示す第３色範囲を呈することができる。
【００５５】
さらに本発明は、別の態様において、トリートメント物質を塗布する方法を提供し、該物質は、上で定義したようにパッキング装置内に収容されており、該方法は、
パッケージング装置を、物質の温度を少なくともインジケータの状態が変化するまで上昇させるべく熱源に晒すか、または、物質の温度を少なくともインジケータの状態変化するまで低下させるべく冷源に晒す段階と、
物質を塗布する段階と、を含んでいる。
【００５６】
熱源は、湯、特に浴槽または湯銭鍋内の湯、放熱器のような加熱器具、太陽発電放熱によって構成することができる。さらに熱源は、特定の食品梱包と類似の方法で、試薬混合の結果による放熱反応から得ることも可能である。冷源は、冷水、または冷蔵庫、冷凍庫により、あるいは吸熱反応、もしくは気体膨張の結果によって構成することができる。
【００５７】
別の形態において、本発明は、トリートメント物質の塗布方法を提供し、この場合、上で定義したとおりのディスペンサ部材を具備した容器を備える装置内に、物質が収容されており、該方法は、
ディスペンサ部材を或る分量の物質で再充填する段階と、
少なくともディスペンサ部材を、ディスペンサ部材内に収容された該物質の温度を少なくとも該インジケータが状態を変化するまで上昇を可能にする熱源、および、ディスペンサ部材内に収容された該物質の温度を少なくとも該インジケータが状態を変化するまで低下を可能にする冷源に晒す段階と、
ディスペンサ部材内に収容された該物質を塗布する段階と、を含んでいる。
【発明を実施するための最良の形態】
【００５８】
本発明は、以下に示すその非限定的な実施形態の詳細な記述を読解することで、また、添付の図面を検討することでさらに理解される。
【００５９】
「トリートメント物質」という用語は、一般的に、皮膚、頭髪、爪の状態のような１つまたはそれ以上の身体外部の状態に影響を与えるべく使用されるあらゆる物質を示すよう用いている。このような物質には、例えば、日焼け止め剤、保湿剤、および/または薬剤のような美容またはケア用物質、また、メーキャップ用物質のようなクレンジング用物質および化粧品、あるいは、身体に塗布できるこれ以外のあらゆる従来の物質や最近開発された物質が含まれる。
【実施例１】
【００６０】
図１は、この実施形態においては２枚の可撓性シート２、３を組み合わせて形成した小袋を備えたパッケージング装置１を示している。図２に示すように、該シートの各々は積層によって構成されており、この積層は、アルミニウムのような金属から成る層４と、層４の内側を覆い、２枚のシート２、３を熱融着する熱塑性物質から成る層５と、層４の外側を覆い、装飾の印刷が可能な熱可塑性物質から成るフィルム６とで構成されている。
【００６１】
或る変形例では、シート２、３は塑性材料のみで製造可能であるか、またはこれ以外の、織布あるいは不織布のような材料で製造することができる。
【００６２】
図１に示すように、小袋１には刻み目８が設けられており、この刻み目８が存在するため、使用者は、従来の方法で縁を破き小袋を開封することができる。
【００６３】
図示にはない変形例では、小袋１に再利用可能な閉封要素を設けることが可能であり、この閉封要素により、使用者は小袋を空にした後に、再利用を考慮してこれを再度充填し、再度閉封することができる。
【００６４】
例証の方法により、各々を２枚のシートの夫々に固定し、合致する形状によって組み立てが可能な２本の接続用細片を、上記のような閉封要素に設けることができる。
【００６５】
別の変形例では、小袋１は開口部を備えており、またシート２、３は、巻き取り可能であり、この巻き取り状態を維持することで開口部を閉鎖することができる。
【００６６】
考慮中の実施例では、小袋１には、一定量のシャンプーまたはシャワージェルのような化粧品Ｐが収容されている。
【００６７】
この一回分は、例えば5ミリリットル（ml）〜25mlの範囲の容量に関連する。
小袋１のシート２上には温度インジケータが設けられており、この温度インジケータは、例えばその外面にてシート２に貼着されたパッチ１０で構成され、温度が30℃〜40℃といった範囲内の一定の閾値を越えた場合にその変化を色で表示するサーモクロミック色素を含有している。
【００６８】
図６に示す変形例では、パッチ１０ではなく、各々の増加閾値について色が変化する複数の範囲を備えた細片１１が、パッケージング小袋１に設けられている。
【００６９】
例証の方法により、細片１１に青色範囲１１ａ、緑色範囲１１ｂ、赤色範囲１１ｃを設けることができる。周囲の温度では、青色範囲１１ａのみが現れ、他の範囲は黒色のまま変化しない。容器を加熱すると、青色が消えて緑色範囲１１ｂが現れ、収容物質の温度が適温であることを示す。温度が高すぎる場合には赤色範囲１１ｃが現れる。
【００７０】
したがって、細片１１により、物質Ｐを加熱した際の温度変化を追うことができ、さらに、使用者は、物質Ｐが、良い状態で放出するには高温過ぎることを知ることができる。
【００７１】
小袋１は、浴槽または洗面器に張った湯に浸すことで加熱できるが、例えば、この場合、小袋１にバラストを設け、小袋が湯の表面に残らずに、例えば図７に示すように湯の中程に浮くようにすることができる。
【００７２】
例証の方法により、バラストを、例えばシート２、３を折り畳んで形成した、あるいはシート２、３の対向した面の間に形成された窪みの中に或る量の、例えば砂のような水よりも高密度の材料を収容して構成することができる。
【００７３】
さらに、小袋１を、例えば図８に見られるように放熱器３０に固定して高温の面と接触させる、あるいは該面の付近に置くことで加熱できる。
【００７４】
この目的のために、また図１に示すように、小袋１にフック９を設けて、放熱器３０のバー３１の間に垂下することが可能である。
【００７５】
フック９の代わりに、これ以外のあらゆる適切な固定部材を用いて、放熱器の表面に、またはその付近に小袋を固定することができる。
【００７６】
例えば、放熱器からの垂下が可能なコードを小袋１に設けることができる。
【００７７】
或る変形例では、VELCRO（登録商標）タイプの固定範囲を小袋１に設けることが可能であり、該固定範囲は、放熱器に固定した補助固定部材と協働することができる。
【００７８】
さらに、小袋１に磁石を具備し、該小袋を放熱器に固定することも可能である。
【００７９】
収容物質の厚みを可能な限り薄く保つべく、小袋１を実質的に平坦な形状に維持するために、小袋１の縁の少なくとも１つに沿って硬質のロッドを設け、小袋の折曲がりを防止することができる。このようなロッドは、例えばシート２、３の間に挟装される。
【実施例２】
【００８０】
図９は、頂部に設けた蓋１６によって密封方法で閉鎖された、ポット１７を具備するパッケージング装置１５を示しており、該蓋には、使用時に使用者が蓋を外せるよう、つまみ部分が設けられている。
【００８１】
ポット１７は、例えば、一定量のシャンプーまたはシャワージェルを収容する。
【００８２】
温度を表示するために、細片１１をポット１７に固定することができる。
【００８３】
上述した実施形態では、パッケージング装置は、一回で使用する一定量の物質を収容している。
【００８４】
或る変形例では、容器を、複数回分の量の物質を放出できるように設計されている。
【００８５】
図１０は、変形可能な壁を設けることができるボトル２５を具備したパッケージング装置２０を示しており、該ボトルは、旋回式の蓋を装備した従来のキャップ２７で閉鎖されるネック部２６を備えている。
【００８６】
ボトル２５は、例えば50ml〜500mlの物質を収容するよう設計されている。
【００８７】
ボトルの底部付近には、ボトル２５に固定された管２２と連通する孔２１が設けられており、該管２２は、物質の計量取り出しおよびディスペンサ部材として機能できる。
【００８８】
管２２は、例えばふいご形状の部分で構成された好ましい変形範囲２３を孔２１の付近に備えている。
【００８９】
壁２８に固定した、弾性つまみの対のような留め具手段によって管２２を壁２８に維持することができる。或る変形例では、留め具手段は、例えばボトルと一体に鋳造された、立体的に起伏した部分を含んでいる。
【００９０】
例証の方法により、管２２の長さは実質的にボトル２５の長さに関連する。
【００９１】
管２２は、取り外し可能な停止部３５によってその頂端部を閉鎖され、また、感温標示装置１０を設けている。
【００９２】
管２２は透明な材料で製造でき、また、収容している物質の量を測るための目盛り３９を設けることができる。
【００９３】
装置２０の使用時に、使用者は、必要であればボトル２５の壁を押圧して管２２を物質で充填する。
【００９４】
次に、管２２をボトルの壁２８から移動し、その後、例えば図１２に示すように、該管を湯を張った浴槽内に浸し、管２２内に収容された分の物質を加熱できるようにする。
【００９５】
使用者は、インジケータ１０の色を観察することで管内に収容された物質が十分に加熱されたかどうかを知ることができる。
【００９６】
使用者は、停止部３５を取り外し、恐らくは管２２の壁またはボトル２５の壁を押圧して物質を放出する。
【００９７】
図１２に示すこの実施形態の特別な利点は、物質の温度を望ましい温度に上昇させるために要する時間を短縮することである。
【００９８】
必要であれば、この装置に、例えば複数の管を並べて配置する。さらに、管２２の代わりに、これ以外の何らかの形状をしたディスペンサを使用することも可能である。
【実施例３】
【００９９】
図１３は、本発明の別の実施形態を構成するパッケージング装置５０を示している。
【０１００】
装置５０は、例えば変形可能な壁を備えたボトル５１を装備している。
【０１０１】
ボトル５１はネック部５２を備えており、このネック部上には、考慮中の実施例では停止部としても機能するディスペンサ部材５３が固定されている。ディスペンサ部材５３はねじ切りを施した縁部分５４を備えているため、ボトル５１のネック部上にディスペンサ５３を固定することができ、また、ディスペンサ部分５３は、ネック部５２を密封方法で圧迫することが可能な密封リップ部５７をさらに備えている。
【０１０２】
ディスペンサ部材５３上には感温インジケータ１０が固定されている。
【０１０３】
図１４を参照すると、ディスペンサ部材５３が、ねじ切りした縁部分５４内部に開口した開口部５５を介してボトル５１の内部と連通可能な内部空間７０を備えており、また、考慮中の実施形態では、開口部５５は、非使用時にはエラストマで製造した弁５６によって閉鎖されている。
【０１０４】
記述した実施形態では、ディスペンサ部材５３は実質的に球形であり、キャップ５９での閉鎖が可能なディスペンサノズル５８を頂端部に装備している。
【０１０５】
物質を放出するには、使用者はボトル５１の壁を押圧して、該ボトル内に収容された物質をディスペンサ部材５３の方向へと放出させ、物質の圧力下で弁５６を開口させる。充填中に空気を逃がすために、キャップ５９を緩める必要があり得る。
【０１０６】
次に、使用者はボトル５１からディスペンサ部材５３を取り外し、収容物を加熱するべくディスペンサ部材５３を、例えば浴槽内に配置する。インジケータ１０の色が変わったら、使用者はキャップ５９を取り外し、内部空間７０に収容された一定量の物質を放出する。
【０１０７】
上述した実施例では、物質を放出する際にディスペンサ部材５３をボトル５１から取り外す。
【０１０８】
図１５に示す変形例では、ディスペンサ部材５３’は、可撓性管６０の手段によってボトル５１に永久接続している。
【０１０９】
図１６に示すようにディスペンサ部材５３を湯に浸すことで、ディスペンサ部材５３内に収容されている一定量の物質を加熱することができ、また、必要であればボトル５１を湯の表面に浮かせることが可能である。
【０１１０】
当然ながら、本発明は上述した実施形態に限定されるものではない。
【０１１１】
本装置を太陽光線に晒して加熱することができる。
【０１１２】
さらに、物質の温度が高温になり過ぎた物質の放出を防止するべく、本装置に安全部材を設けることができる。
【実施例４】
【０１１３】
一例として、図１７は、ディスペンサ部材５３の別の変形例の部分断面図を示しており、この実施例では、ディスペンサノズル５８がシャッター８０によって内部に固定されており、シャッター８０は、例えば４０℃といった特定の温度を超えると膨張する材料で製造されているため、例えば４０℃未満の温度では物質を放出できないようになっている。
【０１１４】
特許請求項の範囲を含む説明を通して、特に他を意味する記載がない限り、「１つ備え」という表現は「少なくとも１つ備え」と類似するものとして理解されるべきである。
【０１１５】
本願明細書中で、本発明を特定の実施形態を参照して説明してきたが、これらの実施例は、単に、本発明の原理および使用の例証でしかないことが理解されるべきである。したがって、添付の特許請求の範囲によって定義された本発明の制振および範囲から逸脱しない限り、例証的な実施形態に多くの改良を加えることが可能であり、他の配置を考案できることが理解されるべきである。
【図面の簡単な説明】
【０１１６】
【図１】本発明の小袋パッケージング装置の概略的および部分的な斜視図である。
【図２】図１の小袋の製造に使用されるシートをII−IIで切った概略的および部分的な断面図。
【図３】図１の小袋を、固定要素が小袋を結合する範囲において、ＩＩＩ−ＩＩＩで切った概略的および部分的な断面図。
【図４】バラストの一例の概略的および部分的な断面図。
【図５】バラストの一例の概略的および部分的な断面図。
【図６】本発明の別の実施形態を構成するパッケージング小袋の概略的および部分的な図。
【図７】湯に浸した状態にある図１の小袋の概略的および部分的な図。
【図８】放熱器に固定した状態にある図１の小袋の概略的および部分的な図。
【図９】本発明の別の実施例を構成する陽気の概略的および部分的な図。
【図１０】本発明の容器の別の実施形態を、概略的および部分的な方法で示した正面図。
【図１１】本発明の容器の別の実施形態を、概略的および部分的な方法で示した側面図。
【図１２】図１０、１１の装置を部分的に湯に浸した状態を示した概略図。
【図１３】本発明の別の実施例を構成する装置の概略的立面図。
【図１４】図１３の装置の概略的および部分的な縦断面図。
【図１５】一変形例の概略的な斜視図。
【図１６】湯に浸した状態にある図１５の装置。
【図１７】図１４の計量して取り出すための部材の変形例を示す概略的な部分図。
【符号の説明】
【０１１７】
１  パッケージング装置、小袋
２  可撓性シート
３  可撓性シート
４  金属層
５  熱塑性材料の層
６  フィルム
８  刻み目
９  フック
１０  パッチ
１１  細片
１１ａ  青色範囲
１１ｂ  緑色範囲
１１ｃ  赤色範囲
１７  ポット
１８  つまみ部分
２１  孔
２２  管
２３  変形範囲
２５  ボトル
２６  ネック部
２７  従来のキャップ
２８  壁
２９  弾性つまみの対
３０  放熱器
３１  バー
３５  取り外し可能な停止部
３９  目盛り
５０  パッケージング装置
５１  ボトル
５２  ネック
５３  ディスペンサ部材
５３’  ディスペンサ部材
５４  ねじ切りを施した縁
５５  開口部
５６  弁
５７  密封リップ部
５８  ディスペンサノズル
５９  キャップ
６０  可撓性管
７０  内部空間
８０  シャッター
【図１】
2004196425.tif 000003
【図２】
2004196425.tif 000004
【図３】
2004196425.tif 000005
【図４】
2004196425.tif 000006
【図５】
2004196425.tif 000007
【図６】
2004196425.tif 000008
【図７】
2004196425.tif 000009
【図８】
2004196425.tif 000010
【図９】
2004196425.tif 000011
【図１０】
2004196425.tif 000012
【図１１】
2004196425.tif 000013
【図１２】
2004196425.tif 000014
【図１３】
2004196425.tif 000015
【図１４】
2004196425.tif 000016
【図１５】
2004196425.tif 000017
【図１６】
2004196425.tif 000018
【図１７】
2004196425.tif 000019
【外国語明細書】
2004196425.tif 000020
2004196425.tif 000021
2004196425.tif 000022
2004196425.tif 000023
2004196425.tif 000024
2004196425.tif 000025
2004196425.tif 000026
2004196425.tif 000027
2004196425.tif 000028
2004196425.tif 000029
2004196425.tif 000030
2004196425.tif 000031
2004196425.tif 000032
2004196425.tif 000033
2004196425.tif 000034
2004196425.tif 000035
2004196425.tif 000036
2004196425.tif 000037
2004196425.tif 000038
2004196425.tif 000039
2004196425.tif 000040
2004196425.tif 000041
2004196425.tif 000042
2004196425.tif 000043
2004196425.tif 000044
2004196425.tif 000045